(57)【要約】【課題】無線リソースを合理的に活用するための技術を提供する。【解決手段】無線通信端末１０は、無線回線の利用度を算出する回線利用度算出部１２０と、回線利用度算出部１２０によって算出された利用度に応じてデータ受信の継続またはデータ受信の中断を決定するデータ受信継続中断決定部（データ送受信継続中断決定部）１３０とを備え、回線利用度算出部１２０は、現在の自端末によるデータ受信に係る無線回線の利用度を示す現時刻利用度を算出し、データ受信継続中断決定部１３０は、現時刻利用度が、閾値である基準利用度以上であるときはデータ受信の継続を決定し、基準利用度未満であるときはデータ受信の中断を決定する。【選択図】図１
2010226342.tif 000002
【特許請求の範囲】
【請求項１】
無線回線の利用度を算出する回線利用度算出部と、
前記回線利用度算出部によって算出された前記利用度に応じてデータ受信の継続またはデータ受信の中断を決定するデータ受信継続中断決定部と
を備え、
前記回線利用度算出部は、
現在の自端末によるデータ受信に係る無線回線の利用度を示す現時刻利用度を算出し、
前記データ受信継続中断決定部は、
前記現時刻利用度が、閾値である基準利用度以上であるときはデータ受信の継続を決定し、前記基準利用度未満であるときはデータ受信の中断を決定する
ことを特徴とする無線通信端末。
【請求項２】
無線回線の閑散時の自端末によるデータ受信に係る無線回線の利用度を示す閑散時利用度に基づいて前記基準利用度を算出する閾値算出部
を更に備え、
前記回線利用度算出部は、
前記閑散時として設定された時刻に前記閑散時利用度を算出する
ことを特徴とする請求項１に記載の無線通信端末。
【請求項３】
前記回線利用度算出部は、
前記現時刻利用度を算出した場合に、当該現時刻利用度と現時間帯に算出した他の利用度とに基づいて、前記現時間帯の自端末によるデータ受信に係る無線回線の利用度を示す現時間帯利用度を算出し、
前記データ受信継続中断決定部は、
前記現時刻利用度に代えて前記現時間帯利用度が、前記基準利用度以上であるときはデータ受信の継続を決定し、前記基準利用度未満であるときはデータ受信の中断を決定する
ことを特徴とする請求項１または請求項２に記載の無線通信端末。
【請求項４】
前記データ受信継続中断決定部によってデータ受信の中断が決定されてからデータ受信を再開する迄の待機時間を算出する待機時間算出部を更に備え、
前記待機時間算出部は、
前記現時刻利用度に応じた前記待機時間を算出する
ことを特徴とする請求項１から請求項３の何れか１項に記載の無線通信端末。
【請求項５】
前記データ受信継続中断決定部によってデータ受信の中断が決定されてからデータ受信を再開する迄の待機時間を算出する待機時間算出部を更に備え、
前記待機時間算出部は、
前記現時間帯利用度に応じた前記待機時間を算出する
ことを特徴とする請求項３に記載の無線通信端末。
【請求項６】
前記データ受信継続中断決定部は、
前記閑散時利用度を越える前記現時刻利用度が算出された場合、または、算出された前記現時刻利用度が実績に基づく所定の範囲を越えた場合には、データ受信の中断を決定する
ことを特徴とする請求項２または請求項３に記載の無線通信端末。
【請求項７】
前記待機時間算出部は、
前記閑散時利用度を越える前記現時刻利用度が算出された場合、または、算出された前記現時刻利用度が実績に基づく所定の範囲を越えた場合には、前記現時刻利用度に応じて算出する前記待機時間よりも長い待機時間を算出する
ことを特徴とする請求項４に記載の無線通信端末。
【請求項８】
前記待機時間算出部は、
前記閑散時利用度を越える前記現時刻利用度が算出された場合、または、算出された前記現時刻利用度が実績に基づく所定の範囲を越えた場合には、前記現時間帯利用度に応じて算出する前記待機時間よりも長い待機時間を算出する
ことを特徴とする請求項５に記載の無線通信端末。
【請求項９】
無線回線の利用度を算出する回線利用度算出部と、
前記回線利用度算出部によって算出された前記利用度に応じてデータ送信の継続またはデータ送信の中断を決定するデータ送信継続中断決定部と
を備え、
前記回線利用度算出部は、
基地局から送信される情報であって自端末のアップリンク速度を制限する情報を集計した集計値を前記利用度として算出し、
前記データ送信継続中断決定部は、
前記集計値が、所定の閾値未満であるときはデータ送信の継続を決定し、所定の閾値以上であるときはデータ送信の中断を決定する
ことを特徴とする無線通信端末。
【発明の詳細な説明】
【技術分野】
【０００１】
本発明は、無線通信端末に関する。
【背景技術】
【０００２】
現在、多種多様（例えば、Ｗｅｂの閲覧、ストリーミングビデオの受信、電子メールの送受信、巨大ファイルの送受信などによるデータトラヒック）のデータトラヒックが、無線データ通信端末から発生している。また、データトラヒックのリアルタイム性の要求の程度に着目し、高いリアルタイム性を要求するデータトラヒックに高い優先順位を設定し、優先的に無線リソース（時間、周波数、電力）を割り当る技術が存在する。従って、当該技術では、無線データ通信端末から発生する全くリアルタイム性を要求しないデータトラヒックにも低い優先度は割当てられるため、無線リソースは使用されることになる（例えば、特許文献１、非特許文献１参照）。
【先行技術文献】
【特許文献】
【０００３】
【特許文献１】特開２００３−１６９３６３号公報
【非特許文献】
【０００４】
【非特許文献１】“Wireless LAN Medium Access Control(MAC) and Physical Layer (PHY) Specifications Amendment 8:Medium Access Control(MAC) Quality of Service Enhancements,”IEEE Std.802.11e,2005
【発明の概要】
【発明が解決しようとする課題】
【０００５】
しかしながら、優先順位を設定して無線リソースを割り当る技術は、ネットワークが輻輳しているような状態下においても、全くリアルタイム性を要求しないデータトラヒックにも無線リソースを割り当てるため、無線アクセスネットワークを運用するオペレータ（通信事業者）の観点から言えば、輻輳時に、全くリアルタイム性を要求しないデータトラヒックを収容するのは、他のリアルタイム性を要求するデータトラヒックに割り当てたい無線トラヒックを消費するため、好ましくない。また、無線アクセスネットワークを利用するユーザの観点から言っても、リアルタイム性を要求するアプリケーションの利用者に割り当てられても良いはずの無線リソースが、全くリアルタイム性を要求しないアプリケーション（例えば、“いつかダウンロードが完了すればよい”程度のリアルタイム性を要求しないアプリケーション）の利用者に割り当てられるのは、余り納得がいかない。また、全くリアルタイム性を要求しないアプリケーションの利用者は、リアルタイム性と引き換えに安価な通信料金を望むことも考えられる。
【０００６】
本発明は、上述した課題に鑑みてなされたものであって、無線リソースを合理的に活用するための技術を提供することを目的とする。
【課題を解決するための手段】
【０００７】
上記問題を解決するために、本発明の一態様である無線通信端末は、無線回線の利用度を算出する回線利用度算出部と、回線利用度算出部によって算出された利用度に応じてデータ受信の継続またはデータ受信の中断を決定するデータ受信継続中断決定部と
を備え、回線利用度算出部は、現在の自端末によるデータ受信に係る無線回線の利用度を示す現時刻利用度を算出し、データ受信継続中断決定部は、現時刻利用度が、閾値である基準利用度以上であるときはデータ受信の継続を決定し、基準利用度未満であるときはデータ受信の中断を決定することを特徴とする。
【０００８】
上記無線通信端末は、無線回線の閑散時の自端末によるデータ受信に係る無線回線の利用度を示す閑散時利用度に基づいて基準利用度を算出する閾値算出部を更に備え、回線利用度算出部は、閑散時として設定された時刻に閑散時利用度を算出するようにしてもよい。
【０００９】
上記無線通信端末において、回線利用度算出部は、現時刻利用度を算出した場合に、当該現時刻利用度と現時間帯に算出した他の利用度とに基づいて、現時間帯の自端末によるデータ受信に係る無線回線の利用度を示す現時間帯利用度を算出し、データ受信継続中断決定部は、現時刻利用度に代えて現時間帯利用度が、基準利用度以上であるときはデータ受信の継続を決定し、基準利用度未満であるときはデータ受信の中断を決定するようにしてもよい。
【００１０】
上記無線通信端末は、データ受信継続中断決定部によってデータ受信の中断が決定されてからデータ受信を再開する迄の待機時間を算出する待機時間算出部を更に備え、待機時間算出部は、現時刻利用度に応じた待機時間を算出するようにしてもよい。
【００１１】
上記無線通信端末は、データ受信継続中断決定部によってデータ受信の中断が決定されてからデータ受信を再開する迄の待機時間を算出する待機時間算出部を更に備え、待機時間算出部は、現時間帯利用度に応じた待機時間を算出するようにしてもよい。
【００１２】
上記無線通信端末において、データ受信継続中断決定部は、閑散時利用度を越える現時刻利用度が算出された場合、または、算出された現時刻利用度が実績に基づく所定の範囲を越えた場合には、データ受信の中断を決定するようにしてもよい。
【００１３】
上記無線通信端末において、待機時間算出部は、閑散時利用度を越える現時刻利用度が算出された場合、または、算出された現時刻利用度が実績に基づく所定の範囲を越えた場合には、現時刻利用度に応じて算出する待機時間よりも長い待機時間を算出するようにしてもよい。
【００１４】
上記無線通信端末において、待機時間算出部は、閑散時利用度を越える現時刻利用度が算出された場合、または、算出された現時刻利用度が実績に基づく所定の範囲を越えた場合には、現時間帯利用度に応じて算出する待機時間よりも長い待機時間を算出するようにしてもよい。
【００１５】
上記無線通信端末において、回線利用度算出部は、現時刻利用度として、現在の自端末によるデータ受信に係る無線リソースの割当率を示す現時刻リソース割当率を算出し、データ受信継続中断決定部は、現時刻リソース割当率が、閾値である基準リソース割当率以上であるときはデータ受信の継続を決定し、基準リソース割当率未満であるときはデータ受信の中断を決定するようにしてもよい。
【００１６】
上記無線通信端末は、無線回線の閑散時の自端末によるデータ受信に係る無線リソースの割当率を示す閑散時リソース割当率に基づいて基準リソース割当率を算出する閾値算出部を更に備え、回線利用度算出部は、閑散時として設定された時刻に閑散時リソース割当率を算出するようにしてもよい。
【００１７】
上記無線通信端末において、回線利用度算出部は、現時刻リソース割当率を算出した場合に、当該現時刻リソース割当率と現時間帯に算出した他の無線リソースの割当率とに基づいて、現時間帯の自端末によるデータ受信に係る無線リソースの割当率を示す現時間帯リソース割当率を算出し、データ受信継続中断決定部は、現時刻リソース割当率に代えて現時間帯リソース割当率が、基準リソース割当率以上であるときはデータ受信の継続を決定し、基準リソース割当率未満であるときはデータ受信の中断を決定するようにしてもよい。
【００１８】
上記無線通信端末は、データ受信継続中断決定部によってデータ受信の中断が決定されてからデータ受信を再開する迄の待機時間を算出する待機時間算出部を更に備え、待機時間算出部は、現時刻リソース割当率に応じた待機時間を算出するようにしてもよい。
【００１９】
上記無線通信端末は、データ受信継続中断決定部によってデータ受信の中断が決定されてからデータ受信を再開する迄の待機時間を算出する待機時間算出部を更に備え、待機時間算出部は、現時間帯リソース割当率に応じた待機時間を算出するようにしてもよい。
【００２０】
上記無線通信端末において、データ受信継続中断決定部は、閑散時リソース割当率を越える現時刻リソース割当率が算出された場合、または、算出された現時刻リソース割当率が実績に基づく所定の範囲を越えた場合には、データ受信の中断を決定するようにしてもよい。
【００２１】
上記無線通信端末において、待機時間算出部は、閑散時リソース割当率を越える現時刻リソース割当率が算出された場合、または、算出された現時刻リソース割当率が実績に基づく所定の範囲を越えた場合には、現時刻リソース割当率に応じて算出する待機時間よりも長い待機時間を算出するようにしてもよい。
【００２２】
上記無線通信端末において、待機時間算出部は、閑散時リソース割当率を越える現時刻リソース割当率が算出された場合、または、算出された現時刻リソース割当率が実績に基づく所定の範囲を越えた場合には、現時間帯リソース割当率に応じて算出する待機時間よりも長い待機時間を算出するようにしてもよい。
【００２３】
上記無線通信端末において、回線利用度算出部は、現時刻利用度として、現在の自端末によるデータ受信に係るスループットを示す現時刻スループットを算出し、データ受信継続中断決定部は、現時刻スループットが、閾値である基準スループット以上であるときはデータ受信の継続を決定し、基準スループット未満であるときはデータ受信の中断を決定するようにしてもよい。
【００２４】
上記無線通信端末は、無線回線の閑散時の自端末によるデータ受信に係るスループットを示す閑散時スループットに基づいて基準スループットを算出する閾値算出部を更に備え、回線利用度算出部は、閑散時として設定された時刻に閑散時スループットを算出するようにしてもよい。
【００２５】
上記無線通信端末において、回線利用度算出部は、現時刻スループットを算出した場合に、当該現時刻スループットと現時間帯に算出した他のスループットとに基づいて、現時間帯の自端末によるデータ受信に係るスループットを示す現時間帯スループットを算出し、データ受信継続中断決定部は、現時刻スループットに代えて現時間帯スループットが、基準スループット以上であるときはデータ受信の継続を決定し、基準スループット未満であるときはデータ受信の中断を決定するようにしてもよい。
【００２６】
上記無線通信端末は、データ受信継続中断決定部によってデータ受信の中断が決定されてからデータ受信を再開する迄の待機時間を算出する待機時間算出部を更に備え、待機時間算出部は、現時刻スループットに応じた待機時間を算出するようにしてもよい。
【００２７】
上記無線通信端末は、データ受信継続中断決定部によってデータ受信の中断が決定されてからデータ受信を再開する迄の待機時間を算出する待機時間算出部を更に備え、待機時間算出部は、現時間帯スループットに応じた待機時間を算出するようにしてもよい。
【００２８】
上記無線通信端末において、データ受信継続中断決定部は、閑散時スループットを越える現時刻スループットが算出された場合、または、算出された現時刻スループットが実績に基づく所定の範囲を越えた場合には、データ受信の中断を決定するようにしてもよい。
【００２９】
上記無線通信端末において、待機時間算出部は、閑散時スループットを越える現時刻スループットが算出された場合、または、算出された現時刻スループットが実績に基づく所定の範囲を越えた場合には、現時刻スループットに応じて算出する待機時間よりも長い待機時間を算出するようにしてもよい。
【００３０】
上記無線通信端末において、待機時間算出部は、閑散時スループットを越える現時刻スループットが算出された場合、または、算出された現時刻スループットが実績に基づく所定の範囲を越えた場合には、現時間帯スループットに応じて算出する待機時間よりも長い待機時間を算出するようにしてもよい。
【００３１】
上記問題を解決するために、本発明の他の態様である無線通信端末は、無線回線の利用度を算出する回線利用度算出部と、回線利用度算出部によって算出された利用度に応じてデータ送信の継続またはデータ送信の中断を決定するデータ送信継続中断決定部とを備え、回線利用度算出部は、基地局から送信される情報であって自端末のアップリンク速度を制限する情報を集計した集計値を利用度として算出し、データ送信継続中断決定部は、集計値が、所定の閾値未満であるときはデータ送信の継続を決定し、所定の閾値以上であるときはデータ送信の中断を決定することを特徴とする。
【発明の効果】
【００３２】
本発明によれば、無線リソースに余裕がある場合に限って、全くリアルタイム性を要求しないデータトラヒックに無線リソースを割り当てるので、無線リソースを合理的に活用することができるようになる。また、リアルタイム性を要求するアプリケーションの利用者に対し、より多くの無線リソースを割り当てる一方、全くリアルタイム性を要求しないアプリケーションの利用者に対し、極めて低廉な料金設定をすることもできるようになるため、各ユーザがより一層納得できるサービスを提供することができるようになる。
【図面の簡単な説明】
【００３３】
【図１】本発明の一実施形態に係る無線通信端末１０の構成を示すブロック図である。
【図２】無線通信端末１０の動作の一例を示すフローチャートである。
【図３】無線通信端末１０の動作の一例を示すフローチャートである。
【図４】無線通信端末１０の動作の一例を示すフローチャートである。
【図５】無線通信端末１０の動作の一例を示すフローチャートである。
【図６】無線通信端末１０の動作の一例を示すフローチャートである。
【発明を実施するための形態】
【００３４】
本発明の一実施形態に係る無線通信端末１０は、ネットワーク（例えば、インターネット）上のサーバと通信する。サーバから無線通信端末１０へ方向（ダウンリンク）の無線回線の伝送路は、時分割制御されている。従って、無線通信端末あたりのスループットは同時ダウンロードセッションの数に依存する。即ち、複数の無線通信端末がダウンロードを同時に行うとスループットが低下する。
【００３５】
以下、本発明の実施形態について図面を参照して詳細に説明する。無線通信端末１０は、図１に示すように、記憶部１００、送受信部１１０、回線利用度算出部１２０、データ送受信継続中断決定部１３０（本発明のデータ受信継続中断決定部およびデータ送信継続中断決定部に相当する）、閾値算出部１４０および待機時間算出部１５０を備える。
【００３６】
送受信部１１０は、無線回線を介して、記憶部１００に記憶されているデータを外部に送信する。また、送受信部１１０は、無線回線を介して、外部からデータを受信する。送受信部１１０は、受信したデータを記憶部１００に記憶するとともに回線算出部１２０に供給する。なお、送受信部１１０によるデータの送受信は、データ送受信継続中断決定部１３０によって制御される。
【００３７】
記憶部１００は、種々のデータを格納する。具体的には、記憶部１００は、送受信部１１０によって受信されたデータ、送受信部１１０によって送信されるデータを記憶する。また、記憶部１００は、回線利用度算出部１２０によって算出されたデータ、閾値算出部１４０によって算出されたデータ、および、待機時間算出部１５０によって算出されたデータを記憶する。
【００３８】
回線利用度算出部１２０は、現在の自端末によるデータ受信に係る無線回線の利用度（以下、「現時刻利用度」という）を算出する。具体的には、回線利用度算出部１２０は、現時刻利用度として、現在の自端末によるデータ受信に係る無線リソースの割当率（以下、「現時刻リソース割当率」という）、または、現在の自端末によるデータ受信に係るスループット（以下、「現時刻スループット」という）の何れかを算出する。回線利用度算出部１２０は、算出した現時刻リソース割当率、算出した現時刻スループットを記憶部１００に記憶する。なお、リソース割当率とは、無線リソースの全体量（全端末に割当可能な無線リソース量）に占める自端末に割り当てられた無線リソースの量である。
【００３９】
また、回線利用度算出部１２０は、無線回線の閑散時として設定された時刻の自端末によるデータ受信に係る無線回線の利用度（以下、「閑散時利用度」という）を算出する。具体的には、回線利用度算出部１２０は、現時刻リソース割当率を算出した場合、閑散時利用度として、閑散時の自端末によるデータ受信に係る無線リソースの割当率（以下、「閑散時リソース割当率」という）を算出し、現時刻スループットを算出した場合、閑散時の自端末によるデータ受信に係るスループット（以下、「閑散時スループット」という）を算出する。回線利用度算出部１２０は、算出した閑散時リソース割当率、算出した閑散時スループットを記憶部１００に記憶する。
【００４０】
また、回線利用度算出部１２０は、現時刻利用度と現時間帯に算出した他の利用度とに基づいて、現時間帯の自端末によるデータ受信に係る無線回線の利用度（以下、「現時間帯利用度」という）を算出してもよい。具体的には、回線利用度算出部１２０は、現時刻リソース割当率を算出した場合、当該現時刻リソース割当率と現時間帯に算出した他の無線リソース割当率とに基づいて、現時間帯の自端末によるデータ受信に係る無線リソースの割当率（以下、「現時間帯リソース割当率」という）を算出してもよい。また、回線利用度算出部１２０は、現時刻スループットを算出した場合、当該現時刻スループットと現時間帯に算出した他のスループットとに基づいて、現時間帯の自端末によるデータ受信に係るスループット（以下、「現時間帯スループット」という）を算出してもよい。回線利用度算出部１２０は、算出した現時間帯リソース割当率、算出した現時間帯スループットを記憶部１００に記憶する。
【００４１】
また、回線利用度算出部１２０は、基地局から送信される情報であって自端末のアップリンク速度を制限する情報を集計した集計値を現時刻利用度として算出してもよい。回線利用度算出部１２０は、算出した集計値を記憶部１００に記憶する。
【００４２】
閾値算出部１４０は、閑散時利用度に基づいて閾値である基準利用度を算出する。具体的には、閾値算出部１４０は、記憶部１００に閑散時リソース割当率が記憶されている場合、閑散時リソース割当率に基づいて基準リソース割当率を算出する。また、閾値算出部１４０は、記憶部１００に閑散時スループットが記憶されている場合、閑散時スループットに基づいて基準スループットを算出する。閾値算出部１４０は、算出した基準リソース割当率、算出した基準スループットを記憶部１００に記憶する。
【００４３】
待機時間算出部１５０は、データ受信継続中断決定部１３０によってデータ受信の中断が決定されてからデータ送受信を再開する迄の待機時間を算出する。具体的には、待機時間算出部１５０は、現時刻利用度または現時間帯利用度に応じた待機時間を算出する。より詳細には、待機時間算出部１５０は、記憶部１００に現時刻リソース割当率および現時間帯リソース割当率が記憶されている場合、現時間帯リソース割当率に応じた待機時間を算出し、現時刻リソース割当率のみが記憶されている場合、現時刻リソース割当率に応じた待機時間を算出する。また、待機時間算出部１５０は、記憶部１００に現時刻スループットおよび現時間帯スループットが記憶されている場合、現時間帯スループットに応じた待機時間を算出し、現時刻スループットのみが記憶されている場合、現時刻スループットに応じた待機時間を算出する。待機時間算出部１５０は、算出した待機時間を記憶部１００に記憶する。
【００４４】
また、待機時間算出部１５０は、閑散時利用度を越える現時刻利用度が算出された場合、または、算出された現時刻利用度が実績に基づく所定の範囲を越えた場合には、現時間帯利用度に応じて算出する待機時間よりも長い待機時間を算出してもよい。例えば、待機時間算出部１５０は、閑散時リソース割当率を越える現時刻リソース割当率が算出された場合、または、算出された現時刻リソース割当率が実績に基づく所定の範囲を越えた場合には、現時刻リソース割当率または現時間帯リソース割当率に応じて算出する待機時間よりも長い待機時間を算出する。また、例えば、待機時間算出部１５０は、閑散時スループットを越える現時刻スループットが算出された場合、または、算出された現時刻スループットが実績に基づく所定の範囲を越えた場合には、現時刻スループットまたは現時間帯スループットに応じて算出する前記待機時間よりも長い待機時間を算出する。
【００４５】
データ送受信継続中断決定部１３０は、回線利用度算出部１２０によって算出された利用度に応じて送受信部１１０によるデータ送受信の開始、継続または中断を決定する。具体的には、データ送受信継続中断決定部１３０は、現時刻利用度が、基準利用度以上であるときはデータ受信の継続を決定し、基準利用度未満であるときはデータ受信の中断を決定する。より詳細には、データ送受信継続中断決定部１３０は、記憶部１００に現時刻リソース割当率が記憶されている場合、当該現時刻リソース割当率が、基準リソース割当率以上であるときはデータ受信の継続を決定し、基準リソース割当率未満であるときはデータ受信の中断を決定する。また、データ送受信継続中断決定部１３０は、記憶部１００に現時刻リソース割当率および現時間帯リソース割当率が記憶されている場合、当該現時間帯リソース割当率が、基準リソース割当率以上であるときはデータ受信の継続を決定し、基準リソース割当率未満であるときはデータ受信の中断を決定する。
【００４６】
また、データ送受信継続中断決定部１３０は、記憶部１００に現時刻スループットが記憶されている場合、当該現時刻スループットが、基準スループット以上であるときはデータ受信の継続を決定し、基準スループット未満であるときはデータ受信の中断を決定する。また、データ送受信継続中断決定部１３０は、記憶部１００に現時刻スループットおよび現時間帯スループットが記憶されている場合、当該現時間帯スループットが、基準スループット以上であるときはデータ受信の継続を決定し、基準スループット未満であるときはデータ受信の中断を決定する。
【００４７】
また、データ送受信継続中断決定部１３０は、閑散時利用度を越える現時刻利用度が算出された場合、または、算出された現時刻利用度が実績に基づく所定の範囲を越えた場合には、データ受信の中断を決定してもよい。例えば、データ送受信継続中断決定部１３０は、閑散時リソース割当率を越える現時刻リソース割当率が算出された場合、または、算出された現時刻リソース割当率が実績に基づく所定の範囲を越えた場合には、データ受信の中断を決定する。また、データ送受信継続中断決定部１３０は、閑散時スループットを越える現時刻スループットが算出された場合、または、算出された現時刻スループットが実績に基づく所定の範囲を越えた場合には、データ受信の中断を決定する。
【００４８】
また、データ送受信継続中断決定部１３０は、閑散時利用度を越える前記現時間帯利用度が算出された場合、または、算出された現時間帯利用度が実績に基づく所定の範囲を越えた場合には、データ受信の中断を決定してもよい。例えば、データ送受信継続中断決定部１３０は、閑散時リソース割当率を越える現時間帯リソース割当率が算出された場合、または、算出された現時間帯リソース割当率が実績に基づく所定の範囲を越えた場合には、データ受信の中断を決定する。また、データ送受信継続中断決定部１３０は、閑散時スループットを越える現時間帯スループットが算出された場合、または、算出された現時間帯スループットが実績に基づく所定の範囲を越えた場合には、データ受信の中断を決定する。
【００４９】
また、データ送受信継続中断決定部１３０は、記憶部１００に記憶されている集計値が、所定の閾値未満であるときはデータ送信の継続を決定し、所定の閾値以上であるときはデータ送信の中断を決定してもよい。
【００５０】
以下、図２を用いて無線通信端末１０の動作について説明する。図２は、無線通信端末１０がリソース割当率を用いてファイルをダウンロードする場合の動作を示すフローチャートである。図２（図３乃至図６も同様）に示すフローチャートは、無線通信端末１０がＰＰＰ（Point-to-Point Protocol）プロトコルを用いてサーバと接続することにより開始する。
【００５１】
また、図２（図３乃至図５も同様）に示すフローチャートにおいて無線通信端末１０がダウンロードするファイルは、“いつかダウンロードが完了すればよい”程度のリアルタイム性を要求しないファイルであるものとする。即ち、当該ファイルダウンロードに係るデータトラヒックは、全くリアルタイム性を要求しないデータトラヒックであるものとする。
【００５２】
ＰＰＰセッションの確立後、無線通信端末１０は、タイマＴｄ１（単位ダウンロード時間Ｔｄ１を計測するタイマ値）をリセットし、現時刻割当リソースの記憶をリセットする（ステップＳ１００）。続いて、無線通信端末１０は、ダウンロード中か否かを判断する（ステップＳ１０５）。無線通信端末１０は、ダウンロード中でないと判断した場合（ステップＳ１０５：Ｎｏ）、ダウンロードを開始（再開）する（ステップＳ１１０）。
【００５３】
ステップＳ１０５（Ｙｅｓ）またはステップＳ１１０に続いて、無線通信端末１０は、自端末へ割当られた無線リソースを計測、記録する（ステップＳ１１５）。具体的には、無線通信端末１０は、自端末への割当タイムスロット数をカウントする。
【００５４】
無線通信端末１０は、ダウンロードが完了したか否かを判断する（ステップＳ１２０）。無線通信端末１０は、ダウンロードが完了していないと判断した場合（ステップＳ１２０：Ｎｏ）、単位ダウンロード時間Ｔｄ１を経過したか否かを判断する（ステップＳ１２５）。無線通信端末１０は、単位ダウンロード時間Ｔｄ１を経過していないと判断した場合（ステップＳ１２５：Ｎｏ）、ステップＳ１０５に戻る。
【００５５】
一方、無線通信端末１０は、単位ダウンロード時間Ｔｄ１を経過したと判断した場合（ステップＳ１２５：Ｙｅｓ）、単位ダウンロード時間Ｔｄ１中の割当タイムスロット数の記録に基づいて、現時刻リソース割当率の一例である平均リソース割当率Ｒ（ｔ）を算出する（ステップＳ１３０）。平均リソース割当率Ｒ（ｔ）を算出した無線通信端末１０は、平均リソース割当率Ｒ（ｔ）が基準リソース割当率ＲＣ以上であるか否かを判断する（ステップＳ１３５）。
【００５６】
無線通信端末１０は、平均リソース割当率Ｒ（ｔ）が基準リソース割当率ＲＣ以上であると判断した場合（ステップＳ１３５：Ｙｅｓ）、ステップＳ１００に戻る。即ち、無線通信端末１０は、無線リソースに余裕があるときは、ファイルダウンロードの継続を決定する。
【００５７】
一方、無線通信端末１０は、平均リソース割当率Ｒ（ｔ）が基準リソース割当率ＲＣ未満であると判断した場合（ステップＳ１３５：Ｎｏ）、ＰＰＰセッションを切断する（ステップＳ１４０）。即ち、無線通信端末１０は、無線リソースに余裕がないときは、ファイルダウンロードの中断を決定する。
【００５８】
ＰＰＰセッションの切断後、無線通信端末１０は、タイマＴＷ１（待機時間ＴＷ１を計測するタイマ値）をリセットし（ステップＳ１４５）、待機時間ＴＷ１を経過したか否かを判断する（ステップＳ１５０）。無線通信端末１０は、待機時間ＴＷ１を経過していないと判断した場合（ステップＳ１５０：Ｎｏ）、待機時間ＴＷ１を経過する迄（ステップＳ１５０：Ｙｅｓ）、ステップＳ１５０を繰り返す（待機する）。
【００５９】
なお、待機時間ＴＷ１は、平均リソース割当率Ｒ（ｔ）などから決定される変動値であって、例えば、次式（１）により算出される。
【００６０】
ＴＷ１＝（１÷Ｒ（ｔ））×２ｎ×ＴＷ０…（１）
但し、式１において、ｎはバックオフカウンタ、ＴＷ０は乱数によって決定する待機時間のベース値である。
【００６１】
なお、無線通信端末１０は、予め所定の最大待機時間ＴＷＭＡＸを保持し、式（１）によって算出された待機時間ＴＷ１と最大待機時間ＴＷＭＡＸを比較し、待機時間ＴＷ１が最大待機時間ＴＷＭＡＸを越えた場合、待機時間ＴＷ１に最大待機時間ＴＷＭＡＸを代入してもよい。即ち、最大待機時間ＴＷＭＡＸによって待機時間ＴＷ１の上限を規定してもよい。後述する待機時間ＴＷ２、待機時間ＴＷ３、待機時間ＴＷ４および待機時間ＴＷ５についても同様である。
【００６２】
一方、無線通信端末１０は、待機時間ＴＷ１を経過したと判断した場合（ステップＳ１５０：Ｙｅｓ）、ＰＰＰセッションを再接続し（ステップＳ１５５）、ステップＳ１００に戻る。即ち、無線通信端末１０は、ダウンロードの再開を決定する。
【００６３】
一方、ステップＳ１２０において、無線通信端末１０は、ダウンロードが完了したと判断した場合（ステップＳ１２０：Ｙｅｓ）、ＰＰＰセッションを切断し（ステップＳ１６０）、図２のフローチャートは終了する。
【００６４】
図２に示すフローチャートによれば、無線通信端末１０は、単位ダウンロード時間Ｔｄ１毎、ファイルをダウンロードし、平均リソース割当率Ｒ（ｔ）を算出する。無線通信端末１０は、単位ダウンロード時間Ｔｄ１経過時に、平均リソース割当率Ｒ（ｔ）と基準リソース割当率ＲＣとを比較し、平均リソース割当率Ｒ（ｔ）≧基準リソース割当率ＲＣであれば続く単位ダウンロード時間Ｔｄ１もダウンロードを続行し、平均リソース割当率Ｒ（ｔ）＜基準リソース割当率ＲＣであればダウンロードを中断する。ダウンロードを中断した中断無線通信端末１０は、待機時間ＴＷ１経過後に、ダウンロードを再開する。
【００６５】
従って、平均リソース割当率Ｒ（ｔ）が低い場合、つまり無線リソースに余裕がない場合、“いつかダウンロードが完了すればよい”程度のリアルタイム性を要求しないファイルのダウンロードは中断されるため、無線リソースを有効に活用することができるようになる。
【００６６】
続いて、図３を用いて無線通信端末１０の他の動作について説明する。図３は、無線通信端末１０がスループットを用いてファイルをダウンロードする場合の動作を示すフローチャートである。なお、無線通信端末１０が接続するダウンロードサーバは、ダウンロード対象のファイルを複数の小片（以下、「ブロック」という）毎にダウンロード（送信）するものとする。例えば、ダウンロードサーバは、ダウンロード対象のファイルを予めブロック単位に記憶し、ブロック毎に送信してもよい。
【００６７】
なお、ファイルのサイズをＯ、ブロックのサイズＬとした場合、Ｏ＝ｎ・Ｌ＋Ｌ’（ｎ：整数，Ｌ’＜Ｌ）となるが、サイズＬ’のデータもブロック（サイズＬ’）であるものとする。また、無線通信端末１０は、閑散時の時刻としてダウンロードサーバに接続する時刻Ｔ（例えば、毎日、ＡＭ０２：００、ＡＭ０２：３０、…、ＡＭ０４：３０、ＡＭ０５：００の７回）を記憶しているものとする。なお、閑散時として設定する時刻は、毎日異なる時刻でも同じ時刻でもよい。
【００６８】
図３（ａ）において、無線通信端末１０は、閑散時として設定されたある時刻ｔに、閾値計測試験用のブロック、または、ダウンロードするべきファイルに係るブロックをダウンロードする（ステップＳ２００）。無線通信端末１０は、時刻ｔに係る閑散時スループットＳ（ｔ）を算出する（ステップＳ２０５）。即ち、無線通信端末１０は、閑散時スループットＳ（ｔ）＝（サイズＬ／ダウンロード時間）または閑散時スループットＳ（ｔ）＝（サイズＬ’／ダウンロード時間）を算出する。続いて、無線通信端末１０は、次式（２）により最大スループットＳＭＡＸを更新する（ステップＳ２１０）。
【００６９】
ＳＭＡＸ←ＭＡＸ｛Ｓ（ｉ），ＳＭＡＸ｝…（２）
但し、式２において、ｉは各時刻ｔのインデックス（ｉ＝時刻ｔ１、時刻ｔ２、…）である。
【００７０】
無線通信端末１０は、最後の閑散時スループットＳ（ｔ）を算出したか否かを判断する（ステップＳ２１５）。無線通信端末１０は、最後の閑散時スループット（ｔ）を算出していないと判断した場合（ステップＳ２１５：Ｎｏ）、ステップＳ２００に戻る。
【００７１】
一方、無線通信端末１０は、最後の閑散時スループット（ｔ）を算出したと判断した場合（ステップＳ２１５：Ｙｅｓ）、最大スループットＳＭＡＸに基づいて基準スループットＳＣを算出する（ステップＳ２２０）。例えば、無線通信端末１０は、次式（３）により基準スループットＳＣを算出する。
【００７２】
ＳＣ＝ｋ×ＳＭＡＸ…（３）
但し、式３において、ｋは係数（１／２〜２／３程度）である。
【００７３】
そして、図３（ａ）のフローチャートは終了する。なお、翌日の閑散時スループットの測定開始時まで、最大スループットＳＭＡＸおよび基準スループットＳＣを保持する。
【００７４】
図３（ｂ）において、無線通信端末１０は、ダウンロード中か否かを判断する（ステップＳ３００）。無線通信端末１０は、ダウンロード中でないと判断した場合（ステップＳ３００：Ｎｏ）、ブロックのダウンロードを開始（再開）する（ステップＳ３０５）。
【００７５】
ステップＳ３００（Ｙｅｓ）またはステップＳ３０５に続いて、無線通信端末１０は、ファイル全体（ファイルを構成する全部ブロック）のダウンロードが完了したか否かを判断する（ステップＳ３１０）。無線通信端末１０は、ファイル全体のダウンロードが完了していないと判断した場合（ステップＳ３１０：Ｎｏ）、現時刻スループットＳ（ｔ）を算出する（ステップＳ３１５）。即ち、無線通信端末１０は、現時刻スループットＳ（ｔ）＝（サイズＬ／ダウンロード時間）または現時刻スループットＳ（ｔ）＝（サイズＬ’／ダウンロード時間）を算出する。現時刻スループットＳ（ｔ）を算出した無線通信端末１０は、現時刻スループットＳ（ｔ）が基準スループットＳＣ以上であるか否かを判断する（ステップＳ３２０）。
【００７６】
無線通信端末１０は、現時刻スループットＳ（ｔ）が基準スループットＳＣ以上であると判断した場合（ステップＳ３２０：Ｙｅｓ）、ステップＳ３００に戻る。即ち、無線通信端末１０は、無線リソースに余裕があるときは、ファイルダウンロードの継続を決定する。
【００７７】
一方、無線通信端末１０は、現時刻スループットＳ（ｔ）が基準スループットＳＣ未満であると判断した場合（ステップＳ３２０：Ｎｏ）、ＰＰＰセッションを切断する（ステップＳ３２５）。即ち、無線通信端末１０は、無線リソースに余裕がないときは、ファイルダウンロードの中断を決定する。
【００７８】
ステップＳ３２５に続いて（ＰＰＰセッションの切断後）、無線通信端末１０は、タイマＴＷ２をリセットし（ステップＳ３３０）、待機時間ＴＷ２を経過したか否かを判断する（ステップＳ３３５）。無線通信端末１０は、待機時間ＴＷ２を経過していないと判断した場合（ステップＳ３３５：Ｎｏ）、待機時間ＴＷ２を経過する迄（ステップＳ３３５：Ｙｅｓ）、ステップＳ３３５を繰り返す（待機する）。
待機する。
【００７９】
なお、待機時間ＴＷ２は、現時刻スループットＳ（ｔ）などから決定される変動値であって、例えば、次式（４）により算出される。
【００８０】
ＴＷ２＝（１÷Ｓ（ｔ））×２ｎ×ＴＷ０…（４）
但し、式４において、ｎはバックオフカウンタ、ＴＷ０は乱数によって決定する待機時間のベース値である。
【００８１】
一方、無線通信端末１０は、待機時間ＴＷ２を経過したと判断した場合（ステップＳ３３５：Ｙｅｓ）、ＰＰＰセッションを再接続し（ステップＳ３４０）、ステップＳ３００に戻る。即ち、無線通信端末１０は、ファイルダウンロードの再開を決定する。
【００８２】
一方、ステップＳ３１０において、無線通信端末１０は、ファイル全体のダウンロードが完了したと判断した場合（ステップＳ３１０：Ｙｅｓ）、ＰＰＰセッションを切断し（ステップＳ３４５）、図３（ｂ）のフローチャートは終了する。
【００８３】
図３（ｂ）に示すフローチャートによれば、無線通信端末１０は、ブロック毎、ファイルダウンロードを実行し、ブロック毎の現時刻スループットＳ（ｔ）を算出する。無線通信端末１０は、現時刻スループットＳ（ｔ）を算出した場合、現時刻スループットＳ（ｔ）と基準スループットＳＣとを比較し、現時刻スループットＳ（ｔ）≧基準スループットＳＣであれば続くブロックのダウンロードを実行し、現時刻スループットＳ（ｔ）＜基準スループットＳＣであれば続くブロックのダウンロードを中断する。ブロックのダウンロードを中断した中断無線通信端末１０は、待機時間ＴＷ２経過後に、ブロックのダウンロードを再開する。
【００８４】
従って、現時刻スループットＳ（ｔ）が低い場合、“いつかダウンロードが完了すればよい”程度のリアルタイム性を要求しないファイルのダウンロードは中断されるため、無線リソースを有効に活用することができるようになる。
【００８５】
続いて、図４を用いて無線通信端末１０の他の動作について説明する。図４は、無線通信端末１０がスループットを用いてファイルをダウンロードする場合の動作を示すフローチャートである。なお、図４に示すフローチャートのステップＳ５００、ステップＳ５０５、ステップＳ５１０、ステップＳ５２５、ステップＳ５４０およびステップＳ５４５は、図３（ｂ）に示すフローチャートのステップＳ３００、ステップＳ３０５、ステップＳ３１０、ステップＳ３２５、ステップＳ３４０およびステップＳ３４５と同様であるため、説明の一部または全部を省略する。
【００８６】
無線通信端末１０は、ファイル全体のダウンロードが完了していないと判断した場合（ステップＳ５１０：Ｎｏ）、現時刻スループットＳ（ｔ）を算出し、記録する（ステップＳ５１５）。
【００８７】
現時刻スループットＳ（ｔ）を算出した無線通信端末１０は、当該現時刻スループットＳ（ｔ）と現時間帯に算出した他のスループットとに基づいて現時間帯スループットＳＤ（ｉ）を算出し、記録する（ステップＳ５１９）。なお、無線通信端末１０は、次式（５）（６）により現時間帯スループットＳＤ（ｉ）を算出する。
【００８８】
ＳＤ（ｉ，ｎ）＝ｘ×Ｓ（ｔ）＋（１−ｘ）×ＳＤ−１（ｉ）…（５）
ＳＤ（ｉ）＝Ａｖｅｎ｛ＳＤ（ｉ，ｎ）｝…（６）
但し、式５、６において、ｉは各時間帯を示すインデックス、ｎは現時刻スループットＳ（ｔ）とＳＤ−１（ｉ）とから算出する各スループットを示すインデックス（ｎ＝１、２、…）、Ｄは日にちを示すインデックス、ｘは係数（０≦ｘ≦１）である。即ち、ＳＤ−１（ｉ）は、前日の時間帯ｉのスループットである。ＳＤ（ｉ，ｎ）は、時間帯ｉにおいてｎ回目に算出した現時刻スループットＳ（ｔ）とＳＤ−１（ｉ）とから算出するスループットである。Ａｖｅｎ｛ＳＤ（ｉ，ｎ）｝はｎ個のＳＤ（ｉ，ｎ）の平均値である。
【００８９】
現時間帯スループットＳＤ（ｉ）を算出した無線通信端末１０は、現時間帯スループットＳＤ（ｉ）が基準スループットＳＣ以上であるか否かを判断する（ステップＳ５２０）。
【００９０】
無線通信端末１０は、現時間帯スループットＳＤ（ｉ）が基準スループットＳＣ以上であると判断した場合（ステップＳ５２０：Ｙｅｓ）、ステップＳ５００に戻る。即ち、無線通信端末１０は、無線リソースに余裕があるときは、ファイルダウンロードの継続を決定する。
【００９１】
一方、無線通信端末１０は、現時間帯スループットＳＤ（ｉ）が基準スループットＳＣ未満であると判断した場合（ステップＳ５２０：Ｎｏ）、ＰＰＰセッションを切断する（ステップＳ５２５）。即ち、無線通信端末１０は、無線リソースに余裕がないときは、ファイルダウンロードの中断を決定する。
【００９２】
ステップＳ５２５に続いて（ＰＰＰセッションの切断後）、無線通信端末１０は、タイマＴＷ３をリセットし（ステップＳ５３０）、待機時間ＴＷ３を経過したか否かを判断する（ステップＳ５３５）。無線通信端末１０は、待機時間ＴＷ３を経過していないと判断した場合（ステップＳ５３５：Ｎｏ）、待機時間ＴＷ３を経過する迄（ステップＳ５３５：Ｙｅｓ）、ステップＳ５３５を繰り返す（待機する）。
【００９３】
一方、無線通信端末１０は、待機時間ＴＷ３を経過したと判断した場合（ステップＳ５３５：Ｙｅｓ）、ＰＰＰセッションを再接続し（ステップＳ５４０）、ステップＳ５００に戻る。即ち、無線通信端末１０は、ファイルダウンロードの再開を決定する。
【００９４】
なお、待機時間ＴＷ３は、現時間帯スループットＳＤ（ｉ）などから決定される変動値であって、例えば、次式（７）により算出される。
【００９５】
ＴＷ３＝（１÷ＳＤ（ｉ））×２ｎ×ＴＷ０…（７）
但し、式７において、ｎはバックオフカウンタ、ＴＷ０は乱数によって決定する待機時間のベース値である。
【００９６】
図４に示すフローチャートによれば、現時刻スループットＳ（ｔ）に代えて現時刻スループットＳ（ｔ）を平滑化した現時間帯スループットＳＤ（ｉ）を用いて、ダウンロードの中断、接続などを決定するため、より安定した決定が可能になる。
【００９７】
なお、無線通信端末１０は、現時間帯スループットＳＤ（ｉ）を用いてダウンロードの中断、接続などを決定するのと同様に、現時間帯リソース割当率ＲＤ（ｉ）を用いてダウンロードの中断、接続などを決定してもよい。なお、無線通信端末１０は、次式（８）（９）により現時間帯リソース割当率ＲＤ（ｉ）を算出する。
【００９８】
ＲＤ（ｉ，ｎ）＝ｘ×Ｒ（ｔ）＋（１−ｘ）×ＲＤ−１（ｉ）…（８）
ＲＤ（ｉ）＝Ａｖｅｎ｛ＲＤ（ｉ，ｎ）｝…（９）
但し、式８、９において、ｉは各時間帯を示すインデックス、ｎは平均リソース割当率Ｒ（ｔ）とＲＤ−１（ｉ）とから算出する各リソース割当率を示すインデックス（ｎ＝１、２、…）、Ｄは各日にちを示すインデックス、ｘは係数（０≦ｘ≦１）である。即ち、ＲＤ−１（ｉ）は、前日の時間帯ｉのリソース割当率である。ＲＤ（ｉ，ｎ）は、時間帯ｉにおいてｎ回目に算出した平均リソース割当率Ｒ（ｔ）とＲＤ−１（ｉ）とから算出するリソース割当率である。Ａｖｅｎ｛ＲＤ（ｉ，ｎ）｝はｎ個のＲＤ（ｉ，ｎ）の平均値である。
【００９９】
また、現時間帯リソース割当率ＲＤ（ｉ）を用いる場合の待機時間ＴＷ４は、現時間帯リソース割当率ＲＤ（ｉ）などから決定される変動値であって、例えば、次式（１０）により算出される。
【０１００】
ＴＷ４＝（１÷ＲＤ（ｉ））×２ｎ×ＴＷ０…（１０）
但し、式９において、ｎはバックオフカウンタ、ＴＷ０は乱数によって決定する待機時間のベース値である。
【０１０１】
続いて、図５を用いて無線通信端末１０の他の動作について説明する。図５は、無線通信端末１０がスループットを用いてファイルをダウンロードする場合の動作を示すフローチャートである。なお、図５に示すフローチャートのステップＳ７００、ステップＳ７０５、ステップＳ７１０、ステップＳ７１５、ステップＳ７１９、ステップＳ７２０、ステップＳ７２５、ステップＳ７３０、ステップＳ７３５、ステップＳ７４０およびステップＳ７４５は、図４に示すフローチャートのステップＳ５００、ステップＳ５０５、ステップＳ５１０、ステップＳ５１５、ステップＳ５１９、ステップＳ５２０、ステップＳ５２５、ステップＳ５３０、ステップＳ５３５、ステップＳ５４０およびステップＳ５４５と同様であるため、説明の一部または全部を省略する。
【０１０２】
現時刻スループットＳ（ｔ）を算出した無線通信端末１０は、当該現時刻スループットＳ（ｔ）が最大スループットＳＭＡＸ以上であるか否かを判断する（ステップＳ７１６）。無線通信端末１０は、当該現時刻スループットＳ（ｔ）が最大スループットＳＭＡＸ以上でないと判断した場合（ステップＳ７１６：Ｎｏ）、現時刻スループットＳ（ｔ）が実績に基づく所定の範囲外であるか否かを判断する（ステップＳ７１７）。例えば、無線通信端末１０は、次式（１１）を満たす場合、現時刻スループットＳ（ｔ）が実績に基づく所定の範囲外であると判断する。
【０１０３】
Ｓ（ｔ）÷ＳＭＡＸ＞μ＋ｋσ…（１１）
但し、式１１において、μは（Ｓ（ｔ）÷ＳＭＡＸ）の平均、σは（Ｓ（ｔ）÷ＳＭＡＸ）の分散、ｋは係数である。
【０１０４】
無線通信端末１０は、現時刻スループットＳ（ｔ）が実績に基づく所定の範囲外であると判断した場合（ステップＳ７１７：Ｙｅｓ）。現時刻スループットＳ（ｔ）がＸ回連続して実績に基づく所定の範囲外であるか否かを判断する（ステップＳ７１８）。例えば、当該処理（ステップＳ７１８）を実行する毎に、カウンタＣＸをカウントアップし、カウンタＣＸがＸ回に達したときに、現時刻スループットＳ（ｔ）がＸ回連続して実績に基づく所定の範囲外であると判断する。なお、カウンタＣＸは、本フローチャートの開始時、ステップＳ７２０の実行時、ステップＳ７２１の実行時に初期化する。
【０１０５】
無線通信端末１０は、現時刻スループットＳ（ｔ）が最大スループットＳＭＡＸ以上であると判断した場合（ステップＳ７１６：Ｙｅｓ）、または、現時刻スループットＳ（ｔ）がＸ回連続して実績に基づく所定の範囲外であると判断した場合（ステップＳ７１８：Ｙｅｓ）、現時間帯スループットＳＤ（ｉ）に異常時スループットを代入する（ステップＳ７２１）。
【０１０６】
なお、異常時スループットとは、異常時に適用する所定のスループットであって、設定可能な最小のスループットである。従って、待機時間ＴＷ３は、ステップＳ７２１が実行されてからステップＳ７１９が再度実行される迄の間は、異常時スループットに基づいて算出されるため、長くなる。
【０１０７】
図４に示すフローチャートによれば、現時刻スループットＳ（ｔ）が異常値である場合には、具体的には、現時刻スループットＳ（ｔ）が最大スループットＳＭＡＸ以上である場合（ステップＳ７１６：Ｙｅｓ）、または、現時刻スループットＳ（ｔ）がＸ回連続して実績に基づく所定の範囲外である場合（ステップＳ７１８：Ｙｅｓ）、ダウンロードの中断を決定するため、現時刻スループットＳ（ｔ）が異常値の場合には、安全側（無線リソースの負荷を低減させる方向）にシフトさせることができる。また、現時刻スループットＳ（ｔ）が異常値である場合には、最小のスループットである異常時スループットを用いて待機時間を算出するため、待機時間を長くすることができる。また、現時間帯スループットＳＤ（ｉ）の算出（ステップＳ７１９）には、正常な現時刻スループットＳ（ｔ）のみを用いるため、より正確に、ダウンロードの中断、接続などを決定することができる。
【０１０８】
なお、無線通信端末１０は、現時間帯スループットＳＤ（ｉ）を用いてダウンロードの中断、接続などを決定するのと同様に、現時間帯リソース割当率ＲＤ（ｉ）を用いてダウンロードの中断、接続などを決定してもよい。なお、現時間帯リソース割当率ＲＤ（ｉ）を用いる場合、無線通信端末１０は、例えば、次式（１２）を満たす場合、現時刻リソース割当率（平均リソース割当率Ｒ（ｔ））が実績に基づく所定の範囲外であると判断する。
【０１０９】
Ｒ（ｔ）＞μ＋ｋσ…（１２）
但し、式１２において、μはＲ（ｔ）の平均、σはＲ（ｔ）の分散、ｋは係数である。
【０１１０】
また、現時間帯リソース割当率ＲＤ（ｉ）を用いる場合、現時刻リソース割当率が異常値であったときは、現時間帯リソース割当率ＲＤに異常時リソース割当率を代入する（ステップＳ７２１）。
【０１１１】
なお、異常時リソース割当率とは、異常時に適用する所定のリソース割当率であって、設定可能な最小のリソース割当率である。従って、待機時間ＴＷ４は、ステップＳ７２１が実行されてからステップＳ７１９が再度実行される迄の間は、異常時リソース割当率に基づいて算出されるため、長くなる。
【０１１２】
続いて、図６を用いて無線通信端末１０の他の動作について説明する。図６は、無線通信端末１０がアップリンク速度を制限する情報を用いてファイルをアップロードする場合の動作を示すフローチャートである。また、図６に示すフローチャートにおいて無線通信端末１０がアップロードするファイルは、“いつかアップロードが完了すればよい”程度のリアルタイム性を要求しないファイルであるものとする。
【０１１３】
無線通信端末１０は、アップリンク速度を制限する情報を集計する（ステップＳ８００）。アップリンク速度を制限する情報とは、例えば、基地局がビーコンに含めて無線通信端末１０に送信する１ビットの情報であって、無線リソースに空が少ない場合などに無線通信端末１０のアップリンク速度を低減させるために送信する情報である。例えば、無線通信端末１０が所定の時間内に最大Ｐ個のアップリンク速度を制限する情報を受信し得る場合に、実際には、Ｑ個受信したときは、集計値ＭはＰ／Ｑ（０乃至１）となる。
【０１１４】
アップリンク速度を制限する情報を集計した無線通信端末１０は、当該集計値Ｍが閾値未満であるか否かを判断する（ステップＳ８０５）。無線通信端末１０は、集計値Ｍが閾値未満であると判断した場合（ステップＳ８０５：Ｙｅｓ）、アップロード中であるか否かを判断する（ステップＳ８１０）。無線通信端末１０は、アップロード中でないと判断した場合（ステップＳ８１０：Ｎｏ）、アップロードを開始（再開）する（ステップＳ８１５）。即ち、無線通信端末１０は、無線リソースに余裕があるときは、アップロードを開始（再開）する。なお、無線通信端末１０は、アップロード中であると判断した場合には（ステップＳ８１０：Ｙｅｓ）、アップロードを継続する。
【０１１５】
一方、無線通信端末１０は、集計値Ｍが閾値以上であると判断した場合（ステップＳ８０５：Ｎｏ）、アップロード中であるか否かを判断する（ステップＳ８２０）。無線通信端末１０は、アップロード中であると判断した場合（ステップＳ８２０：Ｙｅｓ）、ＰＰＰセッションを切断する（ステップＳ８２５）。即ち、無線通信端末１０は、無線リソースに余裕がないときは、ファイルアップロードの中断を決定する。なお、無線通信端末１０は、アップロード中でないと判断した場合には（ステップＳ８２５：Ｎｏ）、切断状態を維持する。
【０１１６】
ステップＳ８１０（Ｙｅｓ）、ステップＳ８１５、ステップＳ８２０（Ｎｏ）またはステップＳ８２５に続いて、無線通信端末１０は、タイマＴｄ２をリセットする（ステップＳ８３０）。続いて、無線通信端末１０は、アップロードが完了したか否かを判断する（ステップＳ８３５）。無線通信端末１０は、アップロードが完了していないと判断した場合（ステップＳ８３５：Ｎｏ）、単位ダウンロード時間Ｔｄ２を経過したか否かを判断する（ステップＳ８４０）。無線通信端末１０は、単位ダウンロード時間Ｔｄ２を経過していないと判断した場合（ステップＳ８４０：Ｎｏ）、ステップＳ８３５に戻る。
【０１１７】
一方、無線通信端末１０は、単位ダウンロード時間Ｔｄ２を経過したと判断した場合（ステップＳ８４０：Ｙｅｓ）、ステップＳ８００に戻る。また、無線通信端末１０は、アップロードが完了したと判断した場合（ステップＳ８３５：Ｙｅｓ）、ＰＰＰセッションを切断し（ステップＳ８４５）、図６のフローチャートは終了する。
【０１１８】
図６に示すフローチャートによれば、無線通信端末１０は、単位アップロード時間Ｔｄ２毎、ファイルをアップロードし、集計値Ｍを算出する。無線通信端末１０は、単位アップロード時間Ｔｄ２経過時に、集計値Ｍと閾値とを比較し、集計値Ｍ＜閾値であれば続く単位アップロード時間Ｔｄ２もアップロードを続行し、集計値Ｍ≧閾値であればアップロードを中断する。なお、アップロードを中断した中断無線通信端末１０は、単位アップロード時間Ｔｄ２よりも長い所定の待機時間ＴＷ５経過後に、ステップＳ８００に戻るようにしてもよい。
【０１１９】
なお、待機時間ＴＷ５は、集計値Ｍに応じて、例えば、次式（１３）から決定してもよい。
【０１２０】
ＴＷ５＝Ｍ×２ｎ×ＴＷ０…（１３）
但し、式４において、ｎはバックオフカウンタ、ＴＷ０は乱数によって決定する待機時間のベース値である。
【０１２１】
なお、無線通信端末１０の各処理を実行するためのプログラムをコンピュータ読み取り可能な記録媒体に記録して、当該記録媒体に記録されたプログラムをコンピュータシステムに読み込ませ、実行することにより、無線通信端末１０に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１２２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１２３】
以上、この発明の実施形態について図面を参照して詳述してきたが、具体的な構成はこの実施形態に限られるものではなく、この発明の要旨を逸脱しない範囲の設計等も含まれる。
【符号の説明】
【０１２４】
１０  無線通信端末  １００  記憶部  １１０  送受信部  １２０  回線利用度算出部  １３０  データ送受信継続中断決定部  １４０  閾値算出部  １５０  待機時間算出部
【図１】
2010226342.tif 000003
【図２】
2010226342.tif 000004
【図３】
2010226342.tif 000005
【図４】
2010226342.tif 000006
【図５】
2010226342.tif 000007
【図６】
2010226342.tif 000008